(57)【特許請求の範囲】
【請求項１】
他の複数の表示装置と共に並べて配置され、前記他の複数の表示装置と共にマルチディスプレイ画面を構成する表示装置において、
自己の表示装置周辺の照度を検出する照度検出手段と、
前記自己の表示装置画面の輝度を調節する輝度調節手段と、
前記他の複数の表示装置との間でデータ通信を行うデータ通信手段と、
前記自己の表示装置が基準であるか否かを判定する基準判定手段と、
前記基準判定手段により前記自己の表示装置が基準であると判定された場合は、前回輝度を規定値に初期設定して、前記照度検出手段により検出された照度に対応する輝度を求め、この求めた輝度が前記前回輝度に一致しないという判定に基づき、前記データ通信手段を通じて、前記求めた輝度を前記他の複数の表示装置に送信し、前記輝度調節手段を制御して、前記自己の表示装置画面の輝度を前記求めた輝度に調節し、前記前回輝度を前記求めた輝度に更新し、以降、前記照度検出手段により検出された照度に対応する輝度を求めて、この求めた輝度が前記前回輝度に一致するか否かを判定し、一致しなければ、前記データ通信手段を通じての前記求めた輝度の送信、前記輝度調節手段の制御、前記前回輝度の更新を繰り返し、また前記基準判定手段により前記自己の表示装置が基準でないと判定された場合は、前記データ通信手段を通じて、前記他の複数の表示装置のいずれかで検出された照度に対応する輝度を受信すると、前記輝度調節手段を制御して、前記自己の表示装置画面の輝度を前記受信した輝度に調節する制御手段とを備え、
前記自己の表示装置及び前記他の複数の表示装置はシリアルに接続され、前記求めた輝度を前記自己の表示装置から前記他の複数の表示装置へ順次伝達することを特徴とする表示装置。
【請求項２】
前記基準判定手段は、前記マルチディスプレイ画面における前記自己の表示装置の配置位置と前記基準となる表示装置の基準位置とを比較し、前記自己の表示装置の配置位置が前記基準位置に一致すると、前記自己の表示装置が基準であると判定し、また前記自己の表示装置の配置位置が前記基準位置に一致しないと、前記自己の表示装置が基準でないと判定することを特徴とする請求項１に記載の表示装置。
【請求項３】
並べて配置された複数の表示装置によりマルチディスプレイ画面を構成するマルチディスプレイシステムにおいて、
前記各表示装置にそれぞれ設けられ、表示装置周辺の照度を検出する照度検出手段と、
前記各表示装置にそれぞれ設けられ、表示装置画面の輝度を調節する輝度調節手段と、
前記各表示装置にそれぞれ設けられ、データ通信を行うデータ通信手段と、
前記各表示装置のうちの基準となる表示装置を判定する基準判定手段とを備え、
前記基準判定手段により基準であると判定された表示装置では、前回輝度を規定値に初期設定して、前記照度検出手段により検出された照度に対応する輝度を求め、この求めた輝度が前記前回輝度に一致しないという判定に基づき、前記データ通信手段を通じて、前記求めた輝度を他の複数の表示装置に送信し、前記輝度調節手段を制御して、自己の表示装置画面の輝度を前記求めた輝度に調節し、前記前回輝度を前記求めた輝度に更新し、以降、前記照度検出手段により検出された照度に対応する輝度を求めて、この求めた輝度が前記前回輝度に一致するか否かを判定し、一致しなければ、前記データ通信手段を通じての前記求めた輝度の送信、前記輝度調節手段の制御、前記前回輝度の更新を繰り返し、
前記他の複数の表示装置では、前記データ通信手段を通じて、前記求めた輝度を受信すると、前記輝度調節手段を制御して、前記他の複数の表示装置画面の輝度を前記受信した輝度に調節し、
前記各表示装置はシリアルに接続され、前記求めた輝度を前記基準となる表示装置から前記他の複数の表示装置へ順次伝達することを特徴とするマルチディスプレイシステム。
【請求項４】
前記基準判定手段により基準であると判定された表示装置では、コンピュータを用いて、前記照度検出手段により検出された照度に対応する輝度を求めることを特徴とする請求項３に記載のマルチディスプレイシステム。
【請求項５】
並べて配置された複数の表示装置によりマルチディスプレイ画面を構成するマルチディスプレイシステムにおいて、
前記各表示装置にそれぞれ設けられ、表示装置周辺の照度を検出する照度検出手段と、
前記各表示装置にそれぞれ設けられ、表示装置画面の輝度を調節する輝度調節手段と、
前記各表示装置にそれぞれ設けられ、データ通信を行うデータ通信手段と、
前記各表示装置のうちの基準となる表示装置を判定する基準判定手段と、
前回輝度を規定値に初期設定して、前記基準判定手段により基準であると判定された表示装置の前記照度検出手段により検出された照度に対応する輝度を求め、この求めた輝度が前記前回輝度に一致しないという判定に基づき、前記求めた輝度を前記各表示装置に送信し、前記前回輝度を前記求めた輝度に更新し、以降、前記照度検出手段により検出された照度に対応する輝度を求めて、この求めた輝度が前記前回輝度に一致するか否かを判定し、一致しなければ、前記求めた輝度の送信、前記前回輝度の更新を繰り返す輝度設定手段とを備え、
前記各表示装置では、前記データ通信手段を通じて、前記輝度設定手段により求められた輝度を受信すると、前記輝度調節手段を制御して、表示装置画面の輝度を前記受信した輝度に調節し、
前記各表示装置はシリアルに接続され、前記求めた輝度を前記各表示装置の間で順次伝達することを特徴とするマルチディスプレイシステム。
【請求項６】
前記輝度設定手段は、コンピュータであり、前記コンピュータにより求められた輝度が該コンピュータから前記各表示装置へと送受されることを特徴とする請求項５に記載のマルチディスプレイシステム。
【請求項７】
並べて配置された複数の表示装置によりマルチディスプレイ画面を構成するマルチディスプレイ方法において、
前記各表示装置のうちのいずれが基準であるかを判定し、前回輝度を規定値に初期設定して、基準であると判定された表示装置の照度検出手段により検出された照度に対応する輝度を求め、この求めた輝度が前記前回輝度に一致しないという判定に基づき、前記求めた輝度を前記各表示装置の間で通信し、前記前回輝度を前記求めた輝度に更新し、以降、前記照度検出手段により検出された照度に対応する輝度を求めて、この求めた輝度が前記前回輝度に一致するか否かを判定し、一致しなければ、前記求めた輝度の通信、前記前回輝度の更新を繰り返し、
前記各表示装置をシリアルに接続し、前記求めた輝度を前記各表示装置の間で順次伝達して、前記各表示装置画面の輝度を前記求めた輝度に調節することを特徴とするマルチディスプレイ方法。
【請求項８】
請求項７に記載のマルチディスプレイ方法を実施するためにコンピュータにより実行されるプログラム。
【発明の詳細な説明】
【技術分野】
【０００１】
本発明は、マルチディスプレイ画面の構成要素となる表示装置、複数の表示装置からなるマルチディスプレイシステム、マルチディスプレイ方法、及びその方法を実現するためにコンピュータにより実行されるプログラムに関する。
【背景技術】
【０００２】
マルチディスプレイシステムにおいては、複数の表示装置画面を近接配置して、これらの画面により１つの大きな画面（以下マルチディスプレイ画面と称す）を構成し、このマルチディスプレイ画面上に拡大映像を表示する。例えば、図１４に示すように４台の表示装置７０１ａ〜７０１ｄを縦横に２台ずつ配置して、縦幅及び横幅共に２倍のマルチディスプレイ画面７０２を構成し、このマルチディスプレイ画面７０２に縦横共に２倍の拡大映像を表示する。
【０００３】
このようなシステムに用いられる表示装置は、マルチディスプレイ専用のものではなく、単独でも使用し得る普及品である。
【０００４】
ところで、表示装置としては、センサにより該表示装置周辺の照度を検出し、この検出した照度に応じて画面の輝度を自動調節するものがある。これにより、暗い環境や明るい環境でも画面の輝度が適宜に設定されて、画面が見易くなる。
【０００５】
例えば、図１４に示すように各表示装置７０１ａ〜７０１ｄの画面縁にセンサ７０３を設けておき、センサ７０３により表示装置画面周辺の照度Ｌを検出し、図１５に示すようなデータテーブル７１１を参照して、検出した照度Ｌに対応する輝度Ｋを求め、この求めた輝度Ｋに表示装置画面の輝度を調節制御する。これにより、表示装置画面周辺の明るさに応じて画面の輝度が自動調節される。
【０００６】
また、特許文献１では、表示装置周辺の照度を検出する複数のセンサを設け、各センサにより検出されたそれぞれの照度のうちから最も高い照度を選択し、この最も高い照度に応じて画面の輝度を調節している。更に、特許文献２では、表示装置周辺の照度を検出する複数のセンサを設け、各センサにより検出されたそれぞれの照度から平均照度を求め、この平均照度に応じて画面の輝度を調節している。
【特許文献１】特開平２−１４１７９６号公報
【特許文献２】特開２００７−３１００９６号公報
【発明の開示】
【発明が解決しようとする課題】
【０００７】
しかしながら、マルチディスプレイシステムにおいて、画面の輝度を自動調節する表示装置を適用したならば、各表示装置画面の輝度にバラツキが生じて、マルチディスプレイ画面に輝度ムラが生じ、マルチディスプレイ画面が見づらくなることがあった。例えば、図１４に示すように表示装置７０１ａに照明光が入射したり、表示装置７０１ｄが照明光の影に入っている状況では、各表示装置７０１ａ〜７０１ｄのセンサ７０３により検出される照度が大きく異なり、それぞれの照度に応じて各表示装置７０１ａ〜７０１ｄの画面の輝度が自動調節されるため、各画面の輝度にバラツキが生じて、マルチディスプレイ画面７０２が見づらくなる。
【０００８】
仮に、各表示装置画面の輝度の自動調節をオフにすれば、そのような問題を生じることはないが、この場合は、マルチディスプレイ画面周辺の明るさが変化したときに、マルチディスプレイ画面が見づらくなる。
【０００９】
また、特許文献１、２では、複数のセンサにより表示装置周辺の照度を検出しているが、このような表示装置を適用したとしても、表示装置別に、照度を検出して、輝度を制御することには変わりないので、そのようなマルチディスプレイ画面の問題を解決することはできない。
【００１０】
そこで、本発明は、上記従来の問題に鑑みてなされたものであり、マルチディスプレイ画面の輝度ムラを生じることがない表示装置、マルチディスプレイシステム、マルチディスプレイ方法、及びその方法を実現するためにコンピュータにより実行されるプログラムを提供することを目的とする。
【課題を解決するための手段】
【００１１】
上記課題を解決するために、本発明の表示装置は、他の複数の表示装置と共に並べて配置され、前記他の複数の表示装置と共にマルチディスプレイ画面を構成する表示装置において、自己の表示装置周辺の照度を検出する照度検出手段と、前記自己の表示装置画面の輝度を調節する輝度調節手段と、前記他の複数の表示装置との間でデータ通信を行うデータ通信手段と、前記自己の表示装置が基準であるか否かを判定する基準判定手段と、前記基準判定手段により前記自己の表示装置が基準であると判定された場合は、前回輝度を規定値に初期設定して、前記照度検出手段により検出された照度に対応する輝度を求め、この求めた輝度が前記前回輝度に一致しないという判定に基づき、前記データ通信手段を通じて、前記求めた輝度を前記他の複数の表示装置に送信し、前記輝度調節手段を制御して、前記自己の表示装置画面の輝度を前記求めた輝度に調節し、前記前回輝度を前記求めた輝度に更新し、以降、前記照度検出手段により検出された照度に対応する輝度を求めて、この求めた輝度が前記前回輝度に一致するか否かを判定し、一致しなければ、前記データ通信手段を通じての前記求めた輝度の送信、前記輝度調節手段の制御、前記前回輝度の更新を繰り返し、また前記基準判定手段により前記自己の表示装置が基準でないと判定された場合は、前記データ通信手段を通じて、前記他の複数の表示装置のいずれかで検出された照度に対応する輝度を受信すると、前記輝度調節手段を制御して、前記自己の表示装置画面の輝度を前記受信した輝度に調節する制御手段とを備え、前記自己の表示装置及び前記他の複数の表示装置はシリアルに接続され、前記求めた輝度を前記自己の表示装置から前記他の複数の表示装置へ順次伝達している。
【００１２】
例えば、前記基準判定手段は、前記マルチディスプレイ画面における前記自己の表示装置の配置位置と前記基準となる表示装置の基準位置とを比較し、前記自己の表示装置の配置位置が前記基準位置に一致すると、前記自己の表示装置が基準であると判定し、また前記自己の表示装置の配置位置が前記基準位置に一致しないと、前記自己の表示装置が基準でないと判定している。
【００１３】
また、本発明のマルチディスプレイシステムは、並べて配置された複数の表示装置によりマルチディスプレイ画面を構成するマルチディスプレイシステムにおいて、前記各表示装置にそれぞれ設けられ、表示装置周辺の照度を検出する照度検出手段と、前記各表示装置にそれぞれ設けられ、表示装置画面の輝度を調節する輝度調節手段と、前記各表示装置にそれぞれ設けられ、データ通信を行うデータ通信手段と、前記各表示装置のうちの基準となる表示装置を判定する基準判定手段とを備え、前記基準判定手段により基準であると判定された表示装置では、前回輝度を規定値に初期設定して、前記照度検出手段により検出された照度に対応する輝度を求め、この求めた輝度が前記前回輝度に一致しないという判定に基づき、前記データ通信手段を通じて、前記求めた輝度を他の複数の表示装置に送信し、前記輝度調節手段を制御して、自己の表示装置画面の輝度を前記求めた輝度に調節し、前記前回輝度を前記求めた輝度に更新し、以降、前記照度検出手段により検出された照度に対応する輝度を求めて、この求めた輝度が前記前回輝度に一致するか否かを判定し、一致しなければ、前記データ通信手段を通じての前記求めた輝度の送信、前記輝度調節手段の制御、前記前回輝度の更新を繰り返し、前記他の複数の表示装置では、前記データ通信手段を通じて、前記求めた輝度を受信すると、前記輝度調節手段を制御して、前記他の複数の表示装置画面の輝度を前記受信した輝度に調節し、前記各表示装置はシリアルに接続され、前記求めた輝度を前記基準となる表示装置から前記他の複数の表示装置へ順次伝達している。
【００１４】
例えば、前記基準判定手段により基準であると判定された表示装置では、コンピュータを用いて、前記照度検出手段により検出された照度に対応する輝度を求めている。
【００１５】
また、本発明のマルチディスプレイシステムは、並べて配置された複数の表示装置によりマルチディスプレイ画面を構成するマルチディスプレイシステムにおいて、前記各表示装置にそれぞれ設けられ、表示装置周辺の照度を検出する照度検出手段と、前記各表示装置にそれぞれ設けられ、表示装置画面の輝度を調節する輝度調節手段と、前記各表示装置にそれぞれ設けられ、データ通信を行うデータ通信手段と、前記各表示装置のうちの基準となる表示装置を判定する基準判定手段と、前回輝度を規定値に初期設定して、前記基準判定手段により基準であると判定された表示装置の前記照度検出手段により検出された照度に対応する輝度を求め、この求めた輝度が前記前回輝度に一致しないという判定に基づき、前記求めた輝度を前記各表示装置に送信し、前記前回輝度を前記求めた輝度に更新し、以降、前記照度検出手段により検出された照度に対応する輝度を求めて、この求めた輝度が前記前回輝度に一致するか否かを判定し、一致しなければ、前記求めた輝度の送信、前記前回輝度の更新を繰り返す輝度設定手段とを備え、前記各表示装置では、前記データ通信手段を通じて、前記輝度設定手段により求められた輝度を受信すると、前記輝度調節手段を制御して、表示装置画面の輝度を前記受信した輝度に調節し、前記各表示装置はシリアルに接続され、前記求めた輝度を前記各表示装置の間で順次伝達している。
【００１６】
例えば、前記輝度設定手段は、コンピュータであり、前記コンピュータにより求められた輝度が該コンピュータから前記各表示装置へと送受される。
【００１７】
また、本発明のマルチディスプレイ方法は、並べて配置された複数の表示装置によりマルチディスプレイ画面を構成するマルチディスプレイ方法において、前記各表示装置のうちのいずれが基準であるかを判定し、前回輝度を規定値に初期設定して、基準であると判定された表示装置の照度検出手段により検出された照度に対応する輝度を求め、この求めた輝度が前記前回輝度に一致しないという判定に基づき、前記求めた輝度を前記各表示装置の間で通信し、前記前回輝度を前記求めた輝度に更新し、以降、前記照度検出手段により検出された照度に対応する輝度を求めて、この求めた輝度が前記前回輝度に一致するか否かを判定し、一致しなければ、前記求めた輝度の通信、前記前回輝度の更新を繰り返し、前記各表示装置をシリアルに接続し、前記求めた輝度を前記各表示装置の間で順次伝達して、前記各表示装置画面の輝度を前記求めた輝度に調節している。
【００１８】
また、本発明のプログラムは、上記本発明のマルチディスプレイ方法を実現するためにコンピュータにより実行される。
【発明の効果】
【００１９】
このような本発明の表示装置では、マルチディスプレイ画面を構成するべく他の表示装置と共に並べて配置されることを前提とし、自己の表示装置が基準である場合は、自己の表示装置で検出された照度に対応する輝度を求め、この輝度を他の表示装置に送信すると共に、自己の表示装置画面の輝度を該求めた輝度に調節し、また自己の表示装置が基準でないと判定された場合は、他の表示装置で検出された照度に対応する輝度を受信し、輝度調節手段を制御して、自己の表示装置画面の輝度を該受信した輝度に調節している。従って、複数の表示装置のうちのいずれかが基準の表示装置として設定されると、全ての表示装置画面の輝度が基準の表示装置で検出された照度に対応する輝度に調節されることになり、全ての表示装置画面の輝度が統一され、マルチディスプレイ画面の輝度ムラが生じることはない。
【００２０】
例えば、マルチディスプレイ画面における自己の表示装置の配置位置と基準位置とを比較し、自己の表示装置の配置位置が基準位置に一致すると、自己の表示装置が基準であると判定し、また自己の表示装置の配置位置が基準位置に一致しないと、自己の表示装置が基準でないと判定している。この場合は、基準位置の変更により、基準となる表示装置を変更することができる。
【００２１】
また、本発明のマルチディスプレイシステムにおいても、上記本発明の表示装置と同様の作用効果を達成することができる。
【００２２】
更に、このシステムでは、照度検出手段により検出された照度に対応する輝度を求める処理を各表示装置のコンピュータ又は外部のコンピュータにより行うことが可能である。外部のコンピュータにより処理を行う場合は、求めた輝度をコンピュータから各表示装置へと送受する。
【００２３】
また、本発明のマルチディスプレイ方法、及びその方法を実現するためにコンピュータにより実行されるプログラムにおいても、上記本発明の表示装置と同様の作用効果を達成することができる。
【００２４】
コンピュータは、プログラムを記録媒体から読出したり、プログラムを通信ネットワークを通じて受信し、プログラムを実行して、本発明を実施することができる。複数のコンピュータやインターネットからなるシステムにおいては、複数の処理を複数の端末に分散して行い得る。従って、プログラムは、コンピュータ等の単一の端末だけではなく、システムにも適用し得る。
【発明を実施するための最良の形態】
【００２５】
以下、本発明の実施形態を添付図面を参照して詳細に説明する。
【００２６】
図１は、本発明の表示装置の一実施形態を示すブロック図である。また、図２は、図１の表示装置を適用したマルチディスプレイシステムを示す図である。
【００２７】
図２のマルチディスプレイシステム１は、図１の表示装置２（図２では符号２ａ〜２ｐを付している）を縦横に４台ずつ配列し、合計１６台の表示装置２ａ〜２ｐを用いて構成される。
【００２８】
このマルチディスプレイシステム１においては、縦横４台ずつ合計１６台の表示装置２からなる大マルチディスプレイ画面３Ｌ、縦横３台ずつ合計９台の表示装置２からなる中マルチディスプレイ画面３Ｍ、及び縦横２台ずつ合計４台の表示装置２からなる小マルチディスプレイ画面３Ｓを切り換えて構成することができ、更に全ての表示装置２をそれぞれ単独で用いることも可能である。いずれのマルチディスプレイ画面を用いても、そのマルチディスプレイ画面の大きさに応じた拡大映像を表示することができる。例えば、図３（ａ）に示すように単独の表示装置２に映像Ｇが表示されているときに、図３（ｂ）に示すように縦横２台ずつ合計４台の表示装置２からなる小マルチディスプレイ画面３Ｓを構成した場合は、縦横共に２倍の拡大映像ＧＳが小マルチディスプレイ画面３Ｓに表示される。同様に、中マルチディスプレイ画面３Ｍを構成した場合は、縦横共に３倍の拡大映像が中マルチディスプレイ画面３Ｍに表示され、また大マルチディスプレイ画面３Ｌを構成した場合は、縦横共に４倍の拡大映像が大マルチディスプレイ画面３Ｌに表示される。
【００２９】
図１に示すように表示装置２は、複数の映像入力端子１１-1〜１１-Nを備えており、それぞれの映像信号を各映像入力端子１１-1〜１１-Nに加えられ、映像信号をいずれかの映像入力端子を通じて表示メモリ１２に入力して記憶する。また、複数の映像出力端子１３-1〜１３-Nを備えており、映像信号を映像入力端子を通じて入力すると同時に、この映像信号を各映像出力端子１３-1〜１３-Nのいずれかを通じて出力することができる。
【００３０】
中央演算部１４は、マイクロプロセッサ、プログラミングが可能なＬＳＩ（ＦＰＧＡ（Field Programmable Gate Array））、特定用途の集積回路（ＡＳＩＣ（Application Specific Integrated Circuit））等であり、表示装置２全体を制御する。
【００３１】
例えば、中央演算部１４は、表示メモリ１２に対する映像信号の書き込み読み出しを制御しており、映像信号を映像入力端子から表示メモリ１２へと入力させたり、映像信号を表示メモリ１２から表示処理部１５へと出力させる。
【００３２】
表示処理部１５は、映像信号を入力すると、この映像信号に対する各種の処理を施してから、この映像信号を表示部１６に出力する。映像信号に対する各種の処理としては、映像信号を表示部１６に適した方式のものに変換する処理がある。また、マルチディスプレイ画面が用いられるときには、マルチディスプレイ画面における表示装置２の位置に応じて、表示部１６の画面に表示される映像を示す映像信号を表示メモリ１２内の全映像信号から切り出して抽出し、この抽出した映像信号に対してマルチディスプレイ画面の大きさに応じた拡大処理を施す。そして、この抽出し拡大した映像信号を表示部１６に出力する。これにより、表示部１６の画面には切り出され拡大された画像が表示される。
【００３３】
表示部１６は、液晶表示パネル、ＣＲＴ、プラズマ表示パネル等である。映像信号の入力方式についてはＬＶＤＳ、ＴＴＬ等のいずれでも構わない。この表示部１６は、表示処理部１５からの映像信号を入力し、この映像信号によって示される映像を画面に表示する。
【００３４】
また、中央演算部１４は、輝度制御部１７を通じて、表示部１６の画面の輝度を制御する。例えば、表示部１６が液晶表示パネルであるならば、中央演算部１４は、輝度制御部１７を通じて、液晶表示パネルのバックライトを駆動制御して、表示部１６の画面の輝度を制御する。
【００３５】
センサ１８は、表示部１６の画面近傍に設けられ、画面周辺の明るさ（照度）を検出し、この検出した照度を中央演算部１４に出力する。
【００３６】
リモコン受光部２１は、外部のリモコン（図示せず）から出射された赤外線のリモコン信号を受信して、この赤外線のリモコン信号を光電変換し、電気のリモコン信号を出力する。このリモコン信号は、リモコン操作処理部２２を通じて中央演算部１４に入力される。中央演算部１４は、このリモコン信号に応答動作する。
【００３７】
シリアルインターフェース２３は、外部からの制御信号を入力し、この制御信号をシリアル通信処理部２４を通じて中央演算部１４に出力する。中央演算部１４は、この制御信号を処理し、必要に応じて応答動作する。
【００３８】
また、中央演算部１４は、制御信号をシリアル通信部２５及びシリアルインターフェース２６を通じて外部に出力する。
【００３９】
内部記憶部２７は、ＲＡＭ等であり、中央演算部１４のワークエリアとして用いられたり、マルチディスプレイテーブル２７Ａ、表示位置代表テーブル２７Ｂ、及び照度輝度テーブル２７Ｃを記憶している。中央演算部１４は、これらのテーブル２７Ａ、２７Ｂ、２７Ｃを参照し、これらのテーブル２７Ａ、２７Ｂ、２７Ｃの記憶内容に応じてマルチディスク画面を構成するための表示制御を行ったり、表示部１６の画面の輝度を制御する。
【００４０】
外部記憶部２８は、例えばＨＤＤであり、プログラムや各種のデータ等を記憶する。中央演算部１４は、必要なプログラムを外部記憶部２８から読み出して実行し、マルチディスプレイ画面を構成したり、画面の輝度制御を行う。
【００４１】
図４は、マルチディスプレイテーブル２７Ａの記憶内容を示している。図４に示すようにマルチディスプレイテーブル２７Ａには、自動輝度調整フラグAutoBright、拡大モードEnl、表示位置Pos、代表フラグRepFlg、照度値Sensor、輝度値Bright、及び前回輝度値PreBrightが記憶されている。
【００４２】
自動輝度調整フラグAutoBrightは、表示部１６の画面の輝度の自動調節を行うか否かを示すものであり、「０」又は「１」に設定される。「０」は輝度の自動調節を行わないことを示し、また「１」は輝度の自動調節を行うことを示す。
【００４３】
拡大モードEnlは、先に述べたような単独の表示装置２の画面、小マルチディスプレイ画面３Ｓ、中マルチディスプレイ画面３Ｍ、大マルチディスプレイ画面３Ｌのいずれかを示す指標であり、「０」〜「３」のいずれかに設定される。「０」は図３（ａ）に示すような単独の表示装置２の画面による表示を示し、また「１」は図３（ｂ）に示すような小マルチディスプレイ画面３Ｓによる表示を示し、「２」は中マルチディスプレイ画面３Ｍによる表示を示し、「３」は大マルチディスプレイ画面３Ｌによる表示を示す。
【００４４】
表示位置Posは、表示装置２の位置を示す指標であり、拡大モードEnlの値に応じて、すなわち単独の表示装置２の画面、小マルチディスプレイ画面３Ｓ、中マルチディスプレイ画面３Ｍ、大マルチディスプレイ画面３Ｌのいずれによる表示が行われているかに応じて、「０」、「０」〜「３」、「０」〜「８」、及び「０」〜「１５」の範囲で設定される。拡大モードEnlが「０」であって、図３（ａ）に示すような単独の表示装置２の画面による表示が行われているときには、図５（ａ）に示すように表示位置Posがデフォルトの「０」に設定される。また、拡大モードEnlが「１」であって、図３（ｂ）に示すような小マルチディスプレイ画面３Ｓによる表示が行われているときには、図５（ｂ）に示すように４台の表示装置２が用いられることから、４つの表示位置Posがあり、表示位置Posが「０」〜「３」の範囲で設定される。更に、拡大モードEnlが「２」であって、中マルチディスプレイ画面３Ｍによる表示が行われているときには、図５（ｃ）に示すように９台の表示装置２が用いられることから、９つの表示位置Posがあり、表示位置Posが「０」〜「８」の範囲で設定される。また、拡大モードEnlが「３」であって、大マルチディスプレイ画面３Ｌによる表示が行われているときには、図５（ｄ）に示すように１６台の表示装置２が用いられることから、１６の表示位置Posがあり、表示位置Posが「０」〜「１５」の範囲で設定される。
【００４５】
尚、小マルチディスプレイ画面３Ｓの場合は、該画面３Ｓから外れる各表示装置２ｃ、２ｄ、２ｇ〜２ｐの表示位置Posが設定されず、また中マルチディスプレイ画面３Ｍの場合は、該画面３Ｍから外れる各表示装置２ｄ、２ｈ、２ｌ〜２ｐの表示位置Posが設定されていない。
【００４６】
代表フラグRepFlgは、マルチディスプレイ画面による表示が行われているときに、自己の表示装置２がマルチディスプレイ画面を構成する各表示装置２の代表として選択されているか否かを示すものであり、「０」又は「１」に設定される。「０」は自己の表示装置２が代表でないことを示し、また「１」は自己の表示装置２が代表であることを示す。
【００４７】
照度値Sensorは、自己の表示装置２のセンサ１８により検出された画面周辺の照度を示す。
【００４８】
輝度値Brightは、中央演算部１４並びに輝度制御部１７により調節設定された表示部１６の画面の輝度を示している。また、前回輝度値PreBrightは、中央演算部１４並びに輝度制御部１７により前回に調節設定された表示部１６の画面の輝度を示している。表示部１６の画面の輝度は、周期的に更新されており、輝度値Brightが今回の画面の輝度を示し、前回輝度値PreBrightが前回の画面の輝度を示す。
【００４９】
図６は、内部記憶部２７内の表示位置代表テーブル２７Ｂの記憶内容を示している。図６に示すように表示位置代表テーブル２７Ｂには、拡大モードEnl、表示位置Pos、及び代表位置Dposが記憶されている。
【００５０】
表示位置代表テーブル２７Ｂにおいては、拡大モードEnlとして、単独の表示装置２の画面、小マルチディスプレイ画面３Ｓ、中マルチディスプレイ画面３Ｍ、大マルチディスプレイ画面３Ｌを示す「０」〜「３」が記憶されている。
【００５１】
表示位置Posは、拡大モードEnlの値に応じて設定されたものであり、図２のマルチディスプレイシステム１の各表示装置２ａ〜２ｐ毎に設定されている。拡大モードEnl「０」、つまり単独の表示装置２の画面の場合は、表示位置Posの値が設定されていない。また、拡大モードEnl「１」、つまり小マルチディスプレイ画面３Ｓの場合は、各表示装置２ａ、２ｂ、２ｅ、２ｆの表示位置Posが図５（ｂ）の該各表示装置の画面中に記入されている値に設定されている。更に、拡大モードEnl「２」、つまり中マルチディスプレイ画面３Ｍの場合は、各表示装置２ａ、２ｂ、２ｃ、２ｅ、２ｆ、２ｇ、２ｉ、２ｊ、２ｋの表示位置Posが図５（ｃ）の該各表示装置の画面中に記入されている値に設定されている。また、拡大モードEnl「３」、つまり大マルチディスプレイ画面３Ｌの場合は、各表示装置２ａ〜２ｐの表示位置Posが図５（ｄ）の該各表示装置２ａ〜２ｐの画面中に記入されている値に設定されている。
【００５２】
代表位置Dposは、拡大モードEnlの値に応じて設定されたものであるが、各表示装置２ａ〜２ｐに共通設定されている。拡大モードEnl「０」で、単独の表示装置２の画面の場合は、代表位置Dposが設定されていない。また、拡大モードEnl「１」で、小マルチディスプレイ画面３Ｓの場合は、代表位置Dposが図５（ｂ）の左上の表示装置２ａの位置を示す「０」に設定されている。更に、拡大モードEnl「２」で、中マルチディスプレイ画面３Ｍの場合は、代表位置Dposが図５（ｃ）の中央の表示装置２ｆの位置を示す「４」に設定されている。また、拡大モードEnl「３」で、大マルチディスプレイ画面３Ｌの場合は、代表位置Dposが図５（ｄ）の中央付近の表示装置２ｆの位置を示す「４」に設定されている。
【００５３】
図７は、内部記憶部２７内の照度輝度テーブル２７Ｃの記憶内容を示している。図７に示すように照度輝度テーブル２７Ｃにおいては、表示部１６の画面周辺の照度が６つの範囲「０」〜「２０」、「２１」〜「４０」、「４１」〜「６０」、「６１」〜「８０」、「８１」〜「１００」、「１００」〜に段階的に区分され、それぞれの照度範囲に対応する６段階の輝度値「０」、「１」、「２」、「３」、「４」、「５」が設定されている。
【００５４】
ここで、マルチディスプレイテーブル２７Ａにおける自動輝度調整フラグAutoBrightの値は、外部から指示されて書き込まれたものである。例えば、外部のリモコン（図示せず）からリモコン受光部２１へと自動輝度調整フラグAutoBrightの値を示すリモコン信号が送受され、自動輝度調整フラグAutoBrightの値がリモコン操作処理部２２を通じて中央演算部１４に入力され、中央演算部１４により自動輝度調整フラグAutoBrightの値がマルチディスプレイテーブル２７Ａに書き込まれる。従って、図２のマルチディスプレイシステム１の各表示装置２ａ〜２ｐのいずれにおいても、自動輝度調整フラグAutoBrightの値が同一の値に設定される。
【００５５】
また、マルチディスプレイテーブル２７Ａにおける拡大モードEnlの値も、外部から指示されて、中央演算部１４によりマルチディスプレイテーブル２７Ａに書き込まれたものである。マルチディスプレイシステム１の各表示装置２ａ〜２ｐのいずれにおいても、拡大モードEnlの値が同一の値に設定される。
【００５６】
更に、マルチディスプレイテーブル２７Ａにおける表示位置Posの値は、「０」がデフォルト値であり、拡大モードEnlの値が「１」〜「３」のいずれかに設定されたときに、表示位置代表テーブル２７Ｂから拡大モードEnlの値に対応する表示位置Posの値が読み出され、この読み出された値に設定される。先に述べたように表示位置代表テーブル２７Ｂにおける表示位置Posの値は、マルチディスプレイ画面を構成する各表示装置毎に設定されるので、マルチディスプレイテーブル２７Ａにおける表示位置Posの値も、該各表示装置毎に設定されることになる。尚、拡大モードEnlの値が「１」〜「３」から「０」に更新されると、マルチディスプレイテーブル２７Ａにおける表示位置Posの値がデフォルト値の「０」に戻される。
【００５７】
また、マルチディスプレイテーブル２７Ａにおける代表フラグRepFlgの値は、「０」がデフォルト値であり、拡大モードEnlの値として「１」〜「３」のいずれかが書き込まれたときに、表示位置代表テーブル２７Ｂから拡大モードEnlの値に対応する代表位置Dposの値が読み出され、読み出された代表位置Dpos値が表示位置Posに一致したときに「１」に設定され、また読み出された代表位置Dpos値が表示位置Posに一致しないときに「０」に設定される。具体的には、拡大モードEnl「１」が書き込まれたときには（小マルチディスプレイ画面３Ｓのときには）、表示位置代表テーブル２７Ｂから拡大モードEnl「１」に対応する代表位置Dpos「０」が読み出され、代表位置Dpos「０」が図５（ｂ）の左上の表示装置２ａの表示位置Pos「０」に一致することから、表示装置２ａの代表フラグRepFlgが「１」に設定され、他の各表示装置の代表フラグRepFlgが「０」に設定される。また、拡大モードEnl「２」が書き込まれたときには（中マルチディスプレイ画面３Ｍのときには）、表示位置代表テーブル２７Ｂから拡大モードEnl「２」に対応する代表位置Dpos「４」が読み出され、代表位置Dpos「４」が図５（ｃ）の中央の表示装置２ｆの表示位置Pos「４」に一致することから、表示装置２ｆの代表フラグRepFlgが「１」に設定され、他の各表示装置の代表フラグRepFlgが「０」に設定される。更に、拡大モードEnl「３」が書き込まれたときには（大マルチディスプレイ画面３Ｌのときには）、表示位置代表テーブル２７Ｂから拡大モードEnl「３」に対応する代表位置Dpos「４」が読み出され、代表位置Dpos「４」が図５（ｄ）の中央付近の表示装置２ｆの表示位置Pos「４」に一致することから、表示装置２ｆの代表フラグRepFlgが「１」に設定され、他の各表示装置の代表フラグRepFlgが「０」に設定される。尚、拡大モードEnlの値が「１」〜「３」から「０」に更新されると、マルチディスプレイテーブル２７Ａにおける代表フラグRepFlgの値がデフォルト値の「０」に戻される。
【００５８】
更に、マルチディスプレイテーブル２７Ａにおける照度値Sensorは、センサ１８により検出された表示部１６の画面周辺の照度の値が書き込まれたものである。具体的には、周期的に、センサ１８により照度が検出されて、この検出された照度の値が中央演算部１４に入力され、中央演算部１４により照度の値がマルチディスプレイテーブル２７Ａに書き込まれる。
【００５９】
また、マルチディスプレイテーブル２７Ａにおける輝度値Brightは、照度値Sensorが書き込まれたときに、照度輝度テーブル２７Ｃから照度値Sensorに対応する輝度値が読み出され、この輝度値が書き込まれるか、又は他の表示装置２から受信した輝度値が書き込まれたものである。更に、前回輝度値PreBrightは、輝度値Brightが書き込まれて更新された後で、この輝度値Brightが書き込まれたものである。
【００６０】
次に、図２のマルチディスプレイシステム１においては、各表示装置２ａ〜２ｐがシリアル接続され、映像信号については最前段の表示装置２ａから最後段の表示装置２ｐへと下流方向に順次伝達される。詳しくは、前段の表示装置２の各映像出力端子１３-1〜１３-Nが後段の表示装置２の各映像入力端子１１-1〜１１-Nに接続され、映像信号が前段の表示装置２から後段の表示装置２へと伝達されて行く。従って、最前段の表示装置２ａから出力された映像信号は、各表示装置２ｂ〜２ｐに順次伝達され、全ての表示装置２ａ〜２ｐの表示メモリ１２に記憶されることになる。
【００６１】
また、制御信号は、前段の表示装置２と後段の表示装置２間で送受され、最前段の表示装置２ａから最後段の表示装置２ｐへの下流方向に送受されたり、また最後段の表示装置２ｐから最前段の表示装置２ａへの上流方向に送受される。詳しくは、前段の表示装置２のシリアルインターフェース２６が後段のシリアルインターフェース２３に接続され、制御信号が前段の表示装置２と後段の表示装置２間で送受される。
【００６２】
ここで、図３（ａ）に示すように単独の表示装置２の画面を用いるときには、各表示装置２の内部記憶部２７のマルチディスプレイテーブル２７Ａにおいて、拡大モードEnlが「０」に設定される。
【００６３】
この場合は、各表示装置２のいずれにおいても、拡大モードEnlが「０」に設定されていることから、中央演算部１４は、拡大モードEnl「０」を表示処理部１５に指示する。表示処理部１５は、拡大モードEnl「０」を指示されたことから、表示メモリ１２内の全映像信号を入力し、この全映像信号を表示部１６に出力する。表示部１６は、この全映像信号によって示される映像全体を画面に表示する。先に述べたように映像信号が最前段の表示装置２ａから最後段の表示装置２ｐへと順次伝達されて全ての表示装置の表示メモリ１２に記憶されるので、各表示装置２の画面には同一の映像が表示されることになる。
【００６４】
また、図３（ｂ）に示すように合計４台の表示装置２からなる小マルチディスプレイ画面３Ｓを用いるときには、４台の各表示装置２ａ、２ｂ、２ｅ、２ｆのマルチディスプレイテーブル２７Ａにおいて、拡大モードEnlが「１」に設定される。また、表示装置２ａのマルチディスプレイテーブル２７Ａにおいて表示位置Posが「０」に設定され、表示装置２ｂのマルチディスプレイテーブル２７Ａにおいて表示位置Posが「１」に設定され、表示装置２ｅのマルチディスプレイテーブル２７Ａにおいて表示位置Posが「２」に設定され、表示装置２ｆのマルチディスプレイテーブル２７Ａにおいて表示位置Posが「３」に設定される。
【００６５】
表示装置２ａにおいては、拡大モードEnlが「１」に設定され、表示位置Posが「０」に設定されていることから、中央演算部１４は、拡大モードEnl「１」かつ表示位置Pos「０」を表示処理部１５に指示する。表示処理部１５は、拡大モードEnl「１」かつ表示位置Pos「０」を指示されたことから、図５（ｂ）の小マルチディスプレイ画面３Ｓにおける左右上下領域のうちの左上領域を表示装置２ａの位置であると判定し、この左上領域に表示される１／４の映像を示す映像信号を表示メモリ１２内の全映像信号から切り出して抽出し、この抽出した映像信号に対して縦横共に２倍の拡大処理を施し、この抽出し拡大処理した映像信号を表示部１６に出力する。これにより、表示部１６の画面には、全映像における左上の１／４の映像だけが縦横共に２倍に拡大表示される。
【００６６】
表示装置２ｂにおいては、拡大モードEnlが「１」に設定され、表示位置Posが「１」に設定されていることから、中央演算部１４は、拡大モードEnl「１」かつ表示位置Pos「１」を表示処理部１５に指示する。表示処理部１５は、拡大モードEnl「１」かつ表示位置Pos「１」を指示されたことから、図５（ｂ）の小マルチディスプレイ画面３Ｓにおける左右上下領域のうちの右上領域を表示装置２ｂの位置であると判定し、この右上領域に表示される１／４の映像を示す映像信号を表示メモリ１２内の全映像信号から切り出して抽出し、この抽出した映像信号に対して縦横共に２倍の拡大処理を施し、この抽出し拡大処理した映像信号を表示部１６に出力する。これにより、表示部１６の画面には、全映像における右上の１／４の映像だけが縦横共に２倍に拡大表示される。
【００６７】
表示装置２ｅにおいては、拡大モードEnlが「１」に設定され、表示位置Posが「２」に設定されていることから、図５（ｂ）の小マルチディスプレイ画面３Ｓにおける左右上下領域のうちの左下領域を表示装置２ｅの位置であると判定し、この左下領域に表示される１／４の映像を示す映像信号を表示メモリ１２内の全映像信号から切り出して抽出し、この抽出した映像信号に対して縦横共に２倍の拡大処理を施し、この抽出し拡大処理した映像信号を表示部１６に出力し、表示部１６の画面に右下の１／４の映像だけを縦横共に２倍に拡大表示する。
【００６８】
表示装置２ｆにおいては、拡大モードEnlが「１」に設定され、表示位置Posが「３」に設定されていることから、図５（ｂ）の小マルチディスプレイ画面３Ｓにおける左右上下領域のうちの右下領域を表示装置２ｆの位置であると判定し、この左下領域に表示される１／４の映像を示す映像信号を表示メモリ１２内の全映像信号から切り出して抽出し、この抽出した映像信号に対して縦横共に２倍の拡大処理を施し、表示部１６の画面に左下の１／４の映像だけを縦横共に２倍に拡大表示する。
【００６９】
この結果、図５（ｂ）の小マルチディスプレイ画面３Ｓには、縦横共に２倍に拡大された全映像が表示される。ただし、小マルチディスプレイ画面３Ｓの場合は、該画面３Ｓから外れる各表示装置２ｃ、２ｄ、２ｇ〜２ｐの表示位置Posがマルチディスプレイテーブル２７Ａに設定されておらず、これらの表示装置２ｃ、２ｄ、２ｇ〜２ｐでは表示が行われない。
【００７０】
また、図５（ｃ）に示すように合計９台の表示装置２からなる中マルチディスプレイ画面３Ｍを用いるときには、９台の各表示装置２ａ、２ｂ、２ｃ、２ｅ、２ｆ、２ｇ、２ｉ、２ｊ、２ｋのマルチディスプレイテーブル２７Ａにおいて、拡大モードEnlが「２」に設定される。また、この９台の表示装置２のマルチディスプレイテーブル２７Ａにおいて、それぞれの表示位置Posが「０」、「１」、「２」、「３」、「４」、「５」、「６」、「７」、「８」に設定される。
【００７１】
表示装置２ａにおいては、拡大モードEnlが「２」に設定され、表示位置Posが「０」に設定されていることから、図５（ｃ）の中マルチディスプレイ画面３Ｍにおける９つの領域のうちの左上領域を表示装置２ａの位置であると判定し、この左上領域に表示される１／９の映像を示す映像信号を表示メモリ１２内の全映像信号から切り出して抽出し、この抽出した映像信号に対して縦横共に３倍の拡大処理を施し、表示部１６の画面に左上の１／９の映像だけを縦横共に３倍に拡大表示する。
【００７２】
同様に、他の表示装置２ｂ、２ｃ、２ｅ、２ｆ、２ｇ、２ｉ、２ｊ、２ｋにおいても、拡大モードEnlが「２」に設定され、それぞれの表示位置Posが「１」〜「８」に設定されていることから、図５（ｃ）の中マルチディスプレイ画面３Ｍにおける９つの領域のうちの１つを該当位置であると判定し、この判定した領域に表示される１／９の映像を示す映像信号を表示メモリ１２内の全映像信号から切り出して抽出し、この抽出した映像信号に対して縦横共に３倍の拡大処理を施し、表示部１６の画面に１／９の映像を縦横共に３倍に拡大表示する。
【００７３】
この結果、図５（ｃ）の中マルチディスプレイ画面３Ｍには、縦横共に３倍に拡大された全映像が表示される。ただし、中マルチディスプレイ画面３Ｍの場合は、該画面３Ｍから外れる各表示装置２ｄ、２ｈ、２ｌ〜２ｐの表示位置Posがマルチディスプレイテーブル２７Ａに設定されておらず、これらの表示装置２ｄ、２ｈ、２ｌ〜２ｐでは表示が行われない。
【００７４】
また、図５（ｄ）に示すように合計１６台の表示装置２からなる大マルチディスプレイ画面３Ｌを用いるときには、１６台の各表示装置２ａ〜２ｐのマルチディスプレイテーブル２７Ａにおいて、拡大モードEnlが「３」に設定される。また、この１６台の表示装置２のマルチディスプレイテーブル２７Ａにおいて、それぞれの表示位置Posが「０」〜「１５」に設定される。
【００７５】
表示装置２ａにおいては、拡大モードEnlが「３」に設定され、表示位置Posが「０」に設定されていることから、図５（ｄ）の大マルチディスプレイ画面３Ｌにおける１６つの領域のうちの左上領域を表示装置２ａの位置であると判定し、この左上領域に表示される１／１６の映像を示す映像信号を表示メモリ１２内の全映像信号から切り出して抽出し、この抽出した映像信号に対して縦横共に４倍の拡大処理を施し、表示部１６の画面に左上の１／１６の映像だけを縦横共に４倍に拡大表示する。
【００７６】
同様に、他の表示装置２ｂ〜２ｐにおいても、拡大モードEnlが「３」に設定され、それぞれの表示位置Posが「１」〜「１５」に設定されていることから、図５（ｄ）の大マルチディスプレイ画面３Ｌにおける１６の領域のうちの１つを該当位置であると判定し、この判定した領域に表示される１／１６の映像を示す映像信号を表示メモリ１２内の全映像信号から切り出して抽出し、この抽出した映像信号に対して縦横共に４倍の拡大処理を施し、表示部１６の画面に１／１６の映像を縦横共に４倍に拡大表示する。
【００７７】
この結果、図５（ｄ）の大マルチディスプレイ画面３Ｌには、縦横共に４倍に拡大された全映像が表示される。
【００７８】
ところで、単独の表示装置２の画面を用いているときには、表示装置２別に、画面周辺の照度を検出し、この照度に応じて画面の輝度を調節すれば良いが、マルチディスプレイ画面を用いているときに、そのような表示装置２別の輝度調節を行ったならば、表示装置２毎に、画面周辺の照度が異なることから、画面の輝度も異なることになり、マルチディスプレイ画面に輝度ムラが生じる。
【００７９】
そこで、本実施形態では、マルチディスプレイ画面を用いるときには、マルチディスプレイ画面を構成する複数の表示装置２の画面の輝度を調節しつつ均一化して、マルチディスプレイ画面の輝度のバラツキが生じないようにしている。
【００８０】
具体的には、マルチディスプレイ画面を構成する各表示装置２のうちのいずれかを代表として設定し、この代表の表示装置２のセンサ１８により検出された照度、つまり代表の表示装置２の画面周辺の照度を求め、この照度に対応する輝度を求め、この求めた輝度に各表示装置２の画面の輝度を調節して、各表示装置２の画面の輝度を均一化している。また、このような輝度の調節を周期的に行って、この代表の表示装置２の画面周辺の照度変化に応じて輝度を変更し、マルチディスプレイ画面の輝度をその環境の明るさに合わせて、暗くても明るくてもマルチディスプレイ画面が見づらくならないようにしている。
【００８１】
次に、そのようなマルチディスプレイ画面の輝度を調節設定するための手順を説明する。
【００８２】
図８は、マルチディスプレイ画面の輝度を調節するための処理手順を示すフローチャートである。尚、図８のフローチャートの処理は、図２のマルチディスプレイシステム１における合計１６台の表示装置２ａ〜２ｐのいずれによっても並行して行われる。
【００８３】
まず、表示装置２において、中央演算部１４は、内部記憶部２７のマルチディスプレイテーブル２７Ａを参照し、拡大モードEnlが「０」に設定されているか否かを判定する（ステップＳ１０１）。
【００８４】
例えば、拡大モードEnlが「０」に設定されているならば（ステップＳ１０１で「Ｎｏ」）、中央演算部１４は、先に述べたように拡大モードEnl「０」を表示処理部１５に指示し、表示メモリ１２内の全映像信号を表示処理部１５から表示部１６へと出力させ、全映像信号によって示される映像全体を表示部１６の画面に表示する（ステップＳ１０２）。
【００８５】
このとき、各表示装置２のいずれにおいても、マルチディスプレイテーブル２７Ａにおける拡大モードEnlの値が「０」であるため、それらの画面には同一の映像が表示される。
【００８６】
そして、中央演算部１４は、マルチディスプレイテーブル２７Ａを参照して、自動輝度調整フラグAutoBrightが「０」及び「１」のいずれに設定されているかを判定する（ステップＳ１０３）。例えば、自動輝度調整フラグAutoBrightが「０」に設定されているならば（ステップＳ１０３で「Ｎｏ」）、表示部１６の画面の輝度を調節せずに、図８の処理を終了する。
【００８７】
また、自動輝度調整フラグAutoBrightが「１」に設定されているならば（ステップＳ１０３で「Ｙｅｓ」）、中央演算部１４は、センサ１８により検出された表示部１６の画面周辺の照度の値を求め、この照度の値をマルチディスプレイテーブル２７Ａにおける照度値Sensorとして書込み、照度輝度テーブル２７Ｃから照度値Sensorに対応する輝度値を読み出して、この輝度値をマルチディスプレイテーブル２７Ａにおける輝度値Brightとして書込む。同時に、中央演算部１４は、輝度値Brightを輝度制御部１７に指示する。輝度制御部１７は、表示部１６の輝度を制御し、この指示された輝度値Brightに表示部１６の輝度を調節する（ステップＳ１０４）。
【００８８】
各表示装置２のいずれにおいても、マルチディスプレイテーブル２７Ａにおける自動輝度調整フラグAutoBrightの値が同一のため、それらの画面の輝度が調節されないか、あるいは表示装置２別に画面の輝度が調節されることになる。
【００８９】
従って、拡大モードEnlの値が「０」に設定されている場合は、表示装置２別に、同一の全体映像が画面に表示される。また、自動輝度調整フラグAutoBrightの値に応じて、各表示装置２の画面の輝度が調節されないか、あるいは表示装置２別に画面の輝度が調節される。
【００９０】
また、拡大モードEnlが「０」ではなく「１」〜「３」のいずれかに設定されているならば（ステップＳ１０１で「Ｙｅｓ」）、中央演算部１４は、マルチディスプレイテーブル２７Ａを参照して、表示位置Posの値を読み出し、先に述べたように拡大モードEnlの値及び表示位置Posの値に応じて、表示メモリ１２内の全映像信号から映像信号を切り出して抽出し、この抽出した映像信号に対して拡大処理を施し、この抽出し拡大した映像信号を表示部１６に出力し、表示部１６の画面に抽出し拡大した映像を表示させる（ステップＳ１０５）。
【００９１】
このとき、拡大モードEnlの値が「１」であれば、図５（ｂ）に示すような４台の各表示装置２ａ、２ｂ、２ｅ、２ｆからなる小マルチディスプレイ画面３Ｓが構成され、この画面３Ｓに縦横共に２倍に拡大された全映像が表示される。また、拡大モードEnlの値が「２」であれば、図５（ｃ）に示すような９台の各表示装置２ａ、２ｂ、２ｃ、２ｅ、２ｆ、２ｇ、２ｉ、２ｊ、２ｋからなる中マルチディスプレイ画面３Ｍが構成され、この画面３Ｍに縦横共に３倍に拡大された全映像が表示される。更に、拡大モードEnlの値が「３」であれば、図５（ｄ）に示すような１６台の各表示装置２ａ〜２ｐからなる大マルチディスプレイ画面３Ｌが構成され、この画面３Ｌに縦横共に４倍に拡大された全映像が表示される。
【００９２】
引き続いて、中央演算部１４は、マルチディスプレイテーブル２７Ａを参照して、自動輝度調整フラグAutoBrightが「０」及び「１」のいずれに設定されているかを判定する（ステップＳ１０６）。そして、自動輝度調整フラグAutoBrightが「０」に設定されているならば（ステップＳ１０６で「Ｎｏ」）、表示部１６の画面の輝度を調節せずに、図８の処理を終了する。各表示装置２のいずれにおいても、自動輝度調整フラグAutoBrightの値が同一のため、マルチディスプレイ画面の輝度が調節されないことになる。
【００９３】
また、自動輝度調整フラグAutoBrightが「１」に設定されているならば（ステップＳ１０６で「Ｙｅｓ」）、中央演算部１４は、マルチディスプレイテーブル２７Ａを参照して、代表フラグRepFlgが「０」及び「１」のいずれに設定されているか、すなわち自己の表示装置２がマルチディスプレイ画面を構成する各表示装置２の代表として選択されているか否かを判定する（ステップＳ１０７、Ｓ１０８）。
【００９４】
マルチディスプレイ画面を構成する各表示装置２のいずれか１つが代表であり、この代表の表示装置２の代表フラグRepFlgだけが「１」に設定され、他の表示装置２の代表フラグRepFlgが「０」に設定されている。
【００９５】
代表フラグRepFlgが「１」に設定されているならば（ステップＳ１０８で「Ｙｅｓ」）、中央演算部１４は、センサ１８により検出された表示部１６の画面周辺の照度の値を求め、この照度の値をマルチディスプレイテーブル２７Ａにおける照度値Sensorとして書込み、照度輝度テーブル２７Ｃから照度値Sensorに対応する輝度値を読み出して、この輝度値をマルチディスプレイテーブル２７Ａにおける輝度値Brightとして書込む。同時に、中央演算部１４は、輝度値Brightを輝度制御部１７に指示する。輝度制御部１７は、表示部１６の輝度を制御し、この指示された輝度値Brightに表示部１６の輝度を調節する。更に、中央演算部１４は、輝度値Brightをシリアル通信部２５及びシリアルインターフェース２６を通じて隣り合う他の表示装置２へと送信する（ステップＳ１０９）。
【００９６】
また、代表フラグRepFlgが「０」に設定されているならば（ステップＳ１０８で「Ｎｏ」）、中央演算部１４は、シリアルインターフェース２３及びシリアル通信処理部２４を通じての輝度値Brightの受信を待機し、輝度値Brightを受信すると、この輝度値Brightをマルチディスプレイテーブル２７Ａにおける輝度値Brightとして書込む。また、中央演算部１４は、輝度制御部１７を通じて表示部１６の輝度を制御し、この輝度値Brightに表示部１６の輝度を調節する。更に、中央演算部１４は、輝度値Brightをシリアル通信部２５及びシリアルインターフェース２６を通じて隣り合う次の表示装置２へと送信する（ステップＳ１１０）。
【００９７】
従って、マルチディスプレイ画面が用いられる場合は、代表の表示装置２で表示部１６の画面周辺の照度の値が求められ、この照度の値に対応する輝度値が求められ、表示部１６の画面の輝度値がその求められた輝度値に調節され、この求められた輝度値が他の各表示装置２へと順次転送され、他の各表示装置２の画面の輝度もその求められた輝度値に調節される。この結果、マルチディスプレイ画面を構成する各表示装置２の画面の輝度が均一化され、マルチディスプレイ画面の輝度ムラが生ぜずに済む。
【００９８】
図９は、図８のステップＳ１０７の処理、すなわち自己の表示装置２がマルチディスプレイ画面を構成する各表示装置２の代表として選択されているか否かを判定するための処理を詳しく示すフローチャートである。
【００９９】
各表示装置２おいては、マルチディスプレイテーブル２７Ａの拡大モードEnlの値として「１」〜「３」のいずれかが設定されると、表示位置代表テーブル２７Ｂから拡大モードEnlの値に対応する代表位置Dposの値が読み出され、代表位置Dposの値が自己の表示装置２の表示位置Posの値に一致したならば、代表フラグRepFlgが「１」に設定され、また代表位置Dposの値が自己の表示装置２の表示位置Posの値に一致しなければ、代表フラグRepFlgが「０」に設定される。
【０１００】
詳しくは、拡大モードEnlが「１」であって、小マルチディスプレイ画面３Ｓが選択されているとすると、中央演算部１４は、表示位置代表テーブル２７Ｂから拡大モードEnl「１」に対応する代表位置Dpos「０」を読み出し、代表位置Dpos「０」が自己の表示装置２の表示位置Posの値に一致するか否かを判定し（ステップＳ２０１）、一致するならば（ステップＳ２０１で「Ｙｅｓ」）、代表フラグRepFlgを「１」に設定し（ステップＳ２０２）、一致しなければ（ステップＳ２０１で「Ｎｏ」）、次のステップＳ２０３、２０４を経て、代表フラグRepFlgを「０」に設定する（ステップＳ２０５）。具体的には、図５（ｂ）の左上の表示装置２ａでは、表示位置Pos「０」が代表位置Dpos「０」に一致することから、代表フラグRepFlgを「１」に設定し、また他の各表示装置では、表示位置Posの値が代表位置Dpos「０」に一致せず、代表フラグRepFlgを「０」に設定する。
【０１０１】
また、拡大モードEnlが「２」であって、中マルチディスプレイ画面３Ｍが選択されているとすると（ステップＳ２０１で「Ｎｏ」）、中央演算部１４は、表示位置代表テーブル２７Ｂから拡大モードEnl「２」に対応する代表位置Dpos「４」を読み出し、代表位置Dpos「４」が自己の表示装置２の表示位置Posの値に一致するか否かを判定し（ステップＳ２０３）、一致するならば（ステップＳ２０３で「Ｙｅｓ」）、代表フラグRepFlgを「１」に設定し（ステップＳ２０２）、一致しなければ（ステップＳ２０３で「Ｎｏ」）、次のステップＳ２０４を経て、代表フラグRepFlgを「０」に設定する（ステップＳ２０５）。具体的には、図５（ｃ）の中央の表示装置２ｆでは、表示位置Pos「４」が代表位置Dpos「４」に一致することから、代表フラグRepFlgを「１」に設定し、また他の各表示装置では、表示位置Posの値が代表位置Dpos「４」に一致せず、代表フラグRepFlgを「０」に設定する。
【０１０２】
また、拡大モードEnlが「３」であって、大マルチディスプレイ画面３Ｌが選択されているとすると（ステップＳ２０１で「Ｎｏ」、ステップＳ２０３で「Ｎｏ」）、中央演算部１４は、表示位置代表テーブル２７Ｂから拡大モードEnl「３」に対応する代表位置Dpos「４」を読み出し、代表位置Dpos「４」が自己の表示装置２の表示位置Posの値に一致するか否かを判定し（ステップＳ２０４）、一致するならば（ステップＳ２０４で「Ｙｅｓ」）、代表フラグRepFlgを「１」に設定し（ステップＳ２０２）、一致しなければ（ステップＳ２０４で「Ｎｏ」）、代表フラグRepFlgを「０」に設定する（ステップＳ２０５）。具体的には、図５（ｄ）の中央付近の表示装置２ｆでは、表示位置Pos「４」が代表位置Dpos「４」に一致することから、代表フラグRepFlgを「１」に設定し、また他の各表示装置では、表示位置Posの値が代表位置Dpos「４」に一致せず、代表フラグRepFlgを「０」に設定する。
【０１０３】
このように表示装置２毎に、拡大モードEnlの値に対応する代表位置Dposの値が読み出され、代表位置Dposの値が自己の表示装置２の表示位置Posの値に一致したときに、代表フラグRepFlgが「１」に設定される。
【０１０４】
図１０は、図８のステップＳ１０９の処理、すなわち代表の表示装置２による輝度値Brightの設定と送信の処理を詳しく示すフローチャートである。
【０１０５】
中央演算部１４は、マルチディスプレイテーブル２７Ａにおける前回輝度値PreBrightを「−１」に初期化し（ステップＳ３０１）、センサ１８により検出された表示部１６の画面周辺の照度の値を求め、この照度の値をマルチディスプレイテーブル２７Ａにおける照度値Sensorとして書込み（ステップＳ３０２）、照度輝度テーブル２７Ｃから照度値Sensorに対応する輝度値を読み出して、この輝度値をマルチディスプレイテーブル２７Ａにおける輝度値Brightとして書込む（ステップＳ３０３）。
【０１０６】
尚、前回輝度値PreBrightの初期値「−１」は、実際の輝度値としてはあり得ない値であり、次に述べるように輝度値Brightを最初に決定するときに前回輝度値PreBrightが必ず更新されるようにするために設定された値である。
【０１０７】
引き続いて、中央演算部１４は、輝度値Brightを設定すると、この輝度値Brightと前回輝度値PreBrightが不一致であるか否かを判定する（ステップＳ３０４）。このとき、前回輝度値PreBrightの初期値「−１」は、実際の輝度値としてはあり得ない値であることから、輝度値Brightと前回輝度値PreBrightが不一致である（ステップＳ３０４で「Ｙｅｓ」）。この場合、中央演算部１４は、輝度値Brightをマルチディスプレイテーブル２７Ａにおける前回輝度値PreBrightとして書き込んで、前回輝度値PreBrightを更新する（ステップＳ３０５）。そして、中央演算部１４は、輝度制御部１７を通じて、表示部１６の輝度を制御し、輝度値Brightに表示部１６の輝度を調節する。更に、中央演算部１４は、輝度値Brightを隣り合う他の表示装置２へと送信する（ステップＳ３０６）。
【０１０８】
この後、中央演算部１４は、拡大モードEnlの値が変更されたか否か、つまりマルチディスプレイ画面が変更されたか否かを判定し（ステップＳ３０７）、変更があれば（ステップＳ３０７で「Ｙｅｓ」）、図１０の処理を終了し、図８のステップＳ１０１に戻る。
【０１０９】
また、マルチディスプレイ画面の変更がなければ（ステップＳ３０７で「Ｎｏ」）、ステップＳ３０２に戻って、センサ１８の検出出力に対応する照度値Sensorを求め、照度値Sensorに対応する輝度値Brightを求める（ステップＳ３０３）。
【０１１０】
そして、輝度値Brightと前回輝度値PreBrightが一致すれば（ステップＳ３０４で「Ｎｏ」、輝度値Brightが変わっていないので、これまでの表示部１６の輝度を維持して、ステップＳ３０７に移行する。従って、マルチディスプレイ画面の変更がなく、輝度値Brightが変わらない限り、ステップＳ３０２、Ｓ３０３、Ｓ３０４、Ｓ３０７が繰り返されて、表示部１６の輝度が維持され続ける。
【０１１１】
また、輝度値Brightと前回輝度値PreBrightが不一致であれば（ステップＳ３０４で「Ｙｅｓ」、輝度値Brightが変わっているので、ステップＳ３０５、Ｓ３０６に移行して、輝度値Brightが前回輝度値PreBrightとして書き込まれ、前回輝度値PreBrightが更新され、この輝度値Brightに表示部１６の輝度が調節され、輝度値Brightが隣り合う他の表示装置２へと送信される。従って、マルチディスプレイ画面の変更がなく、輝度値Brightが変わったときには、ステップＳ３０５、Ｓ３０６が行われて、表示部１６の輝度が更新され、更新された輝度値が隣り合う他の表示装置２へと送信される。
【０１１２】
このように代表の表示装置２においては、輝度値Brightを設定したり更新し、設定もしくは更新した輝度値Brightを他の表示装置２に送信している。
【０１１３】
図１１は、図８のステップＳ１１０の処理、すなわち代表ではない表示装置２による輝度値Brightの設定と送信の処理を詳しく示すフローチャートである。
【０１１４】
この図１１の処理は、マルチディスプレイテーブル２７Ａの表示位置Posが設定されている表示装置２、つまりマルチディスプレイ画面を構成する表示装置２で行われるものである。マルチディスプレイ画面から外れる他の表示装置２では、この図１１の処理を行わず、輝度値Brightを受信しても、この輝度値Brightを次の表示装置２に転送するだけであり、輝度値の書込みや輝度の設定を行わない。
【０１１５】
中央演算部１４は、輝度値Brightの受信を待機しており（ステップＳ４０１）、輝度値Brightを受信すると（ステップＳ４０１で「Ｙｅｓ」）、この輝度値Brightをマルチディスプレイテーブル２７Ａにおける輝度値Brightとして書込み、輝度制御部１７を通じて表示部１６の輝度を制御し、この輝度値Brightに表示部１６の輝度を調節する（ステップＳ４０２）。そして、中央演算部１４は、輝度値Brightを隣り合う次の表示装置２へと送信する（ステップＳ４０３）。
【０１１６】
更に、中央演算部１４は、拡大モードEnlの値が変更されたか否か、つまりマルチディスプレイ画面が変更されたか否かを判定し（ステップＳ４０４）、変更があれば（ステップＳ４０４で「Ｙｅｓ」）、図１１の処理を終了し、図８のステップＳ１０１に戻る。
【０１１７】
また、マルチディスプレイ画面の変更がなければ（ステップＳ４０４で「Ｎｏ」）、ステップＳ４０１に戻って、輝度値Brightの受信を待機する（ステップＳ４０１）。
【０１１８】
そして、輝度値Brightの受信がなければ（ステップＳ４０４で「Ｎｏ」）、これまでの表示部１６の輝度を維持して、ステップＳ４０４に移行する。従って、マルチディスプレイ画面の変更がなく、輝度値Brightが変わらない限り、ステップＳ４０１、Ｓ４０４が繰り返されて、表示部１６の輝度が維持され続ける。
【０１１９】
また、輝度値Brightの受信がされたならば（ステップＳ４０４で「Ｙｅｓ」）、輝度値Brightが変わっているので、ステップＳ４０２、Ｓ４０３に移行して、この輝度値Brightがマルチディスプレイテーブル２７Ａに書き込まれ、表示部１６の輝度が制御され、この輝度値Brightに表示部１６の輝度が調節され、輝度値Brightが隣り合う次の表示装置２へと送信される。
【０１２０】
このように代表ではない表示装置２においては、輝度値Brightを受信して設定し、この輝度値Brightを他の表示装置２に送信している。これにより、代表ではない各表示装置２は、輝度値Brightを順次送受して設定することができる。
【０１２１】
図１２は、図１０のステップＳ３０３の処理、すなわち照度値Sensorに対応する輝度値Brightを設定するための処理を詳しく示すフローチャートである。
【０１２２】
代表の表示装置２において、中央演算部１４は、照度輝度テーブル２７Ｃを参照し、マルチディスプレイテーブル２７Ａにおける照度値Sensorが最初の段階の照度範囲「０」〜「２０」に入っているか否かを判定し（ステップＳ５０１）、照度値Sensorが最初の段階の照度範囲「０」〜「２０」に入っていれば（ステップＳ５０１で「Ｙｅｓ」）、照度輝度テーブル２７Ｃから最初の段階の照度範囲に対応する輝度値「０」を読み出して、この輝度値「０」をマルチディスプレイテーブル２７Ａにおける輝度値Brightとして書込む（ステップＳ５０２）。
【０１２３】
また、照度値Sensorが最初の段階の照度範囲に入っていなければ（ステップＳ５０１で「Ｎｏ」）、中央演算部１４は、照度輝度テーブル２７Ｃを参照し、照度値Sensorが２番目の段階の照度範囲「２１」〜「４０」に入っているか否かを判定し（ステップＳ５０３）、照度値Sensorが２番目の段階の照度範囲「２１」〜「４０」に入っていれば（ステップＳ５０３で「Ｙｅｓ」）、照度輝度テーブル２７Ｃから２番目の段階の照度範囲に対応する輝度値「１」を読み出して、この輝度値「１」をマルチディスプレイテーブル２７Ａにおける輝度値Brightとして書込む（ステップＳ５０４）。
【０１２４】
更に、照度値Sensorが２番目の段階の照度範囲に入っていなければ（ステップＳ５０３で「Ｎｏ」）、照度値Sensorが３番目の段階の照度範囲「４１」〜「６０」に入っているか否かが判定され（ステップＳ５０５）、照度値Sensorが３番目の段階の照度範囲に入っていれば（ステップＳ５０５で「Ｙｅｓ」）、照度輝度テーブル２７Ｃから３番目の段階の照度範囲に対応する輝度値「２」が読み出されて、この輝度値「２」がマルチディスプレイテーブル２７Ａにおける輝度値Brightとして書込まれる（ステップＳ５０６）。
【０１２５】
以降同様に、照度値Sensorが４番目の段階の照度範囲「６１」〜「８０」に入っていれば（ステップＳ５０７で「Ｙｅｓ」）、４番目の段階の照度範囲に対応する輝度値「３」が輝度値Brightとして設定され（ステップＳ５０８）、また照度値Sensorが５番目の段階の照度範囲「８１」〜「１００」に入っていれば（ステップＳ５０９で「Ｙｅｓ」）、５番目の段階の照度範囲に対応する輝度値「４」が輝度値Brightとして設定され（ステップＳ５１０）、更に照度値Sensorが５番目の段階の照度範囲にも入っていなければ（ステップＳ５０９で「Ｎｏ」）、照度値Sensorが「１００」を超えることになるので、６番目の段階の照度範囲に対応する輝度値「５」が輝度値Brightとして設定される（ステップＳ５１１）。
【０１２６】
このように代表の表示装置２においては、照度値Sensorに対応する輝度値Brightを設定する。
【０１２７】
尚、本発明は、上記実施形態に限定されるものではなく、多様に変形することができる。例えば、代表の表示装置２側で画面周辺の照度に対応する画面の輝度値を求め、この輝度値を代表の表示装置２から他の表示装置２へと順次転送しているが、図１３に示すように各表示装置２を外部のコンピュータＰに接続しておき、コンピュータＰにより代表の表示装置２を判定して、コンピュータＰから代表の表示装置２を指示し、代表の表示装置２で画面周辺の照度を検出して、この照度をコンピュータＰに送信し、コンピュータＰ側で画面周辺の照度に対応する画面の輝度値を求め、この輝度値をコンピュータＰから各表示装置２へと送受し、各表示装置２でそれぞれの画面の輝度と該送受した輝度値に設定しても構わない。
【０１２８】
また、本発明は、マルチディスプレイシステムや表示装置だけではなく、マルチディスプレイ方法、及びマルチディスプレイ方法を実現するためにコンピュータにより実行されるプログラムを含む。コンピュータは、例えば表示装置２の中央演算部１４や外部のコンピュータであり、プログラムを実行し得るデバイスであれば、如何なるものであっても良い。
【０１２９】
また、コンピュータは、プログラムを記録媒体から読出したり、プログラムを通信ネットワークを通じて受信し、プログラムを実行して、本発明を実施することができる。複数のコンピュータやインターネットからなるシステムにおいては、複数の処理を複数の端末に分散して行い得る。従って、プログラムは、コンピュータ等の単一の端末だけではなく、システムにも適用し得る。
【図面の簡単な説明】
【０１３０】
【図１】本発明の表示装置の一実施形態を示すブロック図である。
【図２】図１の表示装置を適用したマルチディスプレイシステムを示す図である。
【図３】（ａ）は単独の表示装置画面の表示例を示す図であり、（ｂ）は縦横２台ずつ合計４台の表示装置からなる小マルチディスプレイ画面の表示例を示す図である。
【図４】図１の表示装置における内部記憶部内のマルチディスプレイテーブルの記憶内容を示す図である。
【図５】（ａ）は単独の表示装置画面を示す図であり、（ｂ）は縦横２台ずつ合計４台の表示装置からなる小マルチディスプレイ画面を示す図であり、（ｃ）は縦横３台ずつ合計９台の表示装置からなる中マルチディスプレイ画面を示す図であり、（ｄ）は縦横４台ずつ合計１６台の表示装置からなる大マルチディスプレイ画面を示す図である。
【図６】図１の表示装置における内部記憶部内の表示位置代表テーブルの記憶内容を示す図である。
【図７】図１の表示装置における内部記憶部内の照度輝度テーブルの記憶内容を示す図である。
【図８】マルチディスプレイ画面の輝度を調節するための処理手順を示すフローチャートである。
【図９】図８のステップＳ１０７の処理、すなわち自己の表示装置が代表として選択されているか否かを判定するための処理を詳しく示すフローチャートである。
【図１０】図８のステップＳ１０９の処理、すなわち代表の表示装置による輝度値Brightの設定と送信の処理を詳しく示すフローチャートである。
【図１１】図８のステップＳ１１０の処理、すなわち代表ではない表示装置による輝度値Brightの設定と送信の処理を詳しく示すフローチャートである。
【図１２】図１０のステップＳ３０３の処理、すなわち照度値Sensorに対応する輝度値Brightを設定するための処理を詳しく示すフローチャートである。
【図１３】マルチディスプレイシステムの他の構成を示すブロック図である。
【図１４】マルチディスプレイ画面を例示する図である。
【図１５】画面周辺の照度と画面の輝度とを対応付けたデータテーブルを例示する図である。
【符号の説明】
【０１３１】
１  マルチディスプレイシステム
２、２ａ〜２ｐ  表示装置
３Ｓ  小マルチディスプレイ画面
３Ｍ  中マルチディスプレイ画面
３Ｌ  大マルチディスプレイ画面
１１-1〜１１-N  映像入力端子
１２  表示メモリ
１３-1〜１３-N  映像出力端子
１４  中央演算部
１５  表示処理部
１６  表示部
１７  輝度制御部
１８  センサ
２１  リモコン受光部
２２  リモコン操作処理部
２３、２６  シリアルインターフェース
２４、２５  シリアル通信部
２７  内部記憶部
２７Ａ  マルチディスプレイテーブル２７Ａ
２７Ｂ  表示位置代表テーブル
２７Ｃ  照度輝度テーブル
【図１】
0005089441.tif 000002
【図２】
0005089441.tif 000003
【図３】
0005089441.tif 000004
【図４】
0005089441.tif 000005
【図５】
0005089441.tif 000006
【図６】
0005089441.tif 000007
【図７】
0005089441.tif 000008
【図８】
0005089441.tif 000009
【図９】
0005089441.tif 000010
【図１０】
0005089441.tif 000011
【図１１】
0005089441.tif 000012
【図１２】
0005089441.tif 000013
【図１３】
0005089441.tif 000014
【図１４】
0005089441.tif 000015
【図１５】
0005089441.tif 000016